(57)【要約】【課題】前板の揺動と引出の前方への引き出しを使い勝手がよく行うことのできる引出を提供することを目的とする。【解決手段】前板６の背面に収納部６ａを備え、正面側に向けて開口するキャビネット２内に前後方向に移動自在に収納される引出１において、前板６が所定開度開放可能に下端部が引出１に揺動自在に枢支されている引出１であって、引出１は、前板６が閉鎖された位置から所定開度の位置まで揺動することに応じて、引出１を一定量前方に引き出す連動手段１０，１３，１４を備えており、前板６が所定開度の位置まで揺動した後、前板６を所定開度維持した状態で引出１が全量引き出し可能である。【選択図】図６
2010233847.tif 000002
【特許請求の範囲】
【請求項１】
前板の背面に収納部を備え、正面側に向けて開口するキャビネット内に前後方向に移動自在に収納される引出において、前記前板が所定開度開放可能に下端部が引出に揺動自在に枢支されている引出であって、
前記引出は、前記前板が閉鎖された位置から前記所定開度の位置まで揺動することに応じて、引出を一定量前方に引き出す連動手段を備えていることを特徴とする引出。
【請求項２】
前記前板が所定開度の位置まで揺動した後、前記前板を所定開度維持した状態で引出が全量引き出し可能であることを特徴とする請求項１に記載の引出。
【請求項３】
前記連動手段は、前記前板の揺動に応じて前後動する第１のラックと、該第１のラックと噛み合うピニオンと、後方への移動が阻止された前記ピニオンと噛み合う第２のラックと、で構成されていることを特徴とする請求項１または２に記載の引出。
【請求項４】
前記第２のラックの後方への移動はキャビネットに設けた阻止部材との係合により阻止されていることを特徴とする請求項３に記載の引出。
【請求項５】
前記第１及び第２のラックは引出の側板に設けた溝部内で摺動可能に支持され、前記ピニオンは引出の側板に回動自在に支持されていることを特徴とする請求項３または４に記載の引出。
【発明の詳細な説明】
【技術分野】
【０００１】
本発明は、前板の背面に収納部を備え、正面側に向けて開口するキャビネット内に前後方向に移動自在に収納される引出において、前板が所定開度開放可能に下端部が引出に揺動自在に枢支されている引出に関する。
【背景技術】
【０００２】
従来、引出としては、流し台の天板の下方に配置されている引き出し本体と、引き出し本体の正面側に設けられている前板と、前板の裏面に設けられた収納用囲い棚と、を備え、レールに案内されることによって前方に引き出すことができるようになっている。また、引出には、使用者が前板の引き手を持って前方に引くと、前板が枢軸を中心に前方に回転して所定の角度まで可倒することで収納用囲い棚内の収納物を取り出すことができるようになっている。更に、前板の裏面には、先端部がレールに形成された溝部内を摺動する係脱アームの基端部が取り付けられており、この係脱アームは、前板が前方に可倒することで溝部の前端に係合し、引出の前方への移動を規制するようになっている。このような引出には、使用者が前板を前方に可倒した後に、引き手で引出を前方に強く引くことによって係脱アームと溝部との係合を解除し、引出を前方に移動させているものがある（例えば、特許文献１参照）。
【先行技術文献】
【特許文献】
【０００３】
【特許文献１】特許第３９２２０３５号公報（第４頁、第２図）
【発明の概要】
【発明が解決しようとする課題】
【０００４】
しかしながら、特許文献１にあっては、前板の可倒する角度や収納用囲い棚内の収納物の大きさによっては、前板を可倒しただけでは使用者は収納用囲い棚から収納物を取り出しにくくなっており、このような場合には、引き手で引出を前方に強く引くことによって係脱アームと溝部との係合を解除し、引出を前方に移動させなければならず、収納用囲い棚から収納物を取り出すのに手間がかかるという問題がある。
【０００５】
本発明は、このような問題点に着目してなされたもので、前板の揺動と引出の前方への引き出しを使い勝手がよく行うことのできる引出を提供することを目的とする。
【課題を解決するための手段】
【０００６】
前記課題を解決するために、本発明の引出は、
前板の背面に収納部を備え、正面側に向けて開口するキャビネット内に前後方向に移動自在に収納される引出において、前記前板が所定開度開放可能に下端部が引出に揺動自在に枢支されている引出であって、
前記引出は、前記前板が閉鎖された位置から前記所定開度の位置まで揺動することに応じて、引出を一定量前方に引き出す連動手段を備えていることを特徴としている。
この特徴によれば、前板が所定開度開放されたとき、引出も一部分前方に引き出されるので、前板の背面に設けた収納部から収納物を取り出し易いばかりでなく、引出の前方部分に収納されている物も同時に取り出すことかでき、一度前板を揺動させてから引出を引き出す２段アクションを必要とせず使い勝手がよい。前板の収納部と引出の前方部に使用頻度の高い物を収納しておけば、通常使用時には引出を部分開放するだけですみ、使用者にとって利便性がよい。
【０００７】
本発明の引出は、
前記前板が所定開度の位置まで揺動した後、前記前板を所定開度維持した状態で引出が全量引き出し可能であることを特徴としている。
この特徴によれば、引出の後方部分に収納されている物を取り出す際にも、前板が所定開度開放された位置からそのまま引出を引き出すことで、容易に取り出すことができる。
【０００８】
本発明の引出は、
前記連動手段は、前記前板の揺動に応じて前後動する第１のラックと、該第１のラックと噛み合うピニオンと、後方への移動が阻止された前記ピニオンと噛み合う第２のラックと、で構成されていることを特徴としている。
この特徴によれば、前板の揺動と引出の一部分前方への引き出しとの機構を、ラックとピニオンという簡素な構成によって得ることができる。
【０００９】
本発明の引出は、
前記第２のラックの後方への移動はキャビネットに設けた阻止部材との係合により阻止されていることを特徴としている。
この特徴によれば、第２ラックと阻止部材との係合によって第２ラックが阻止部材から前方への反力を受け、この反力によって引出を前方に引き出すことができる。
【００１０】
本発明の引出は、
前記第１及び第２のラックは引出の側板に設けた溝部内で摺動可能に支持され、前記ピニオンは引出の側板に回動自在に支持されていることを特徴としている。
この特徴によれば、連動手段を構成する部材全てを側板内にコンパクトに組み込むことができる。
【図面の簡単な説明】
【００１１】
【図１】実施例１における引出を示す斜視図である。
【図２】引出の側板を示す一部拡大斜視図である。
【図３】引出の側板を示す横断平面図である。
【図４】引出の側板を示す縦断側面図である。
【図５】図４における引出の側板のＡ−Ａ断面図である。
【図６】前板が前方に揺動した引出を示す縦断側面図である。
【図７】（ａ）は、実施例２における引出が収納位置に配置されている状態を示す縦断側面図であり、（ｂ）は、引出が収納位置から引き出された状態を示す縦断側面図である。
【発明を実施するための形態】
【００１２】
本発明に係る引出を実施するための形態を実施例に基づいて以下に説明する。
【実施例１】
【００１３】
実施例に係る引出につき、図１から図６を参照して説明する。尚、本実施例では、図３における紙面下方側を引出の正面側とし、紙面右方側を引出の右方側として説明する。図１の符号１は、本発明の適用された引出である。この引出１は、図１に示すように、キッチンキャビネット等の正面側に開口するキャビネット２内に上下２段が収納されており、引出１に設けられた図示しないレールによって上段の引出１のようにキャビネット２内に収納された収納位置と、下段の引出１のようにキャビネット２の正面側に引き出された引出位置との間で前後方向に移動自在となっている。
【００１４】
また、この引出１は、前方と上方とに開口して内部に皿や鍋等の収納物３を収納可能な収納箱４を有しており、収納箱４の正面側には、上端部に使用者が把持するための取手５が取り付けられた前板６が配置されている。この前板６の背面には、まな板や包丁等の収納箱４内の収納物３よりも使用頻度の高い収納物３ａを収納するための本発明における収納部としての収納篭６ａが取り付けられている。
【００１５】
更に、収納箱４を構成する側板７には、図２〜図４に示すように、前端部をカバー体８によって被覆されおり、前板６はこのカバー体８の前端下部に設けられた左右方向を向く枢軸によって下端部を枢支され、前後方向に揺動可能となっている。このため、前板６の正面側への揺動によって収納箱４の正面側への開放がなされるようになっている。
【００１６】
一方、側板７は内部が中空部９に形成されている。この中空部９の上端部には、前後方向を向く略直方体形状のスライド板１０が前後方向に移動自在に配置されている。具体的には、中空部９の上端部の左右には、左右方向を向く溝部１１が側板７の前後方向略全長に亘って形成されており、スライド板１０の上端部には、これら溝部１１内に配置される摺接片１０ｂが突設されている。
【００１７】
このため、スライド板１０は溝部１１内で摺接片１０ｂによって吊持されている状態で、中空部９内を前後方向に摺動する。尚、スライド板１０の下面には、前後方向略全長に亘って左右方向を向くラック部１０ａが形成されている。つまり、これらスライド板１０とラック部１０ａとによって本発明における第１のラックが構成されている。
【００１８】
そして、スライド板１０の前端部には、棒状のステー１２の一端が左右方向を向く枢軸によって前後方向に揺動可能に枢支されている。このステー１２の他端は、側板７の正面に形成された貫通孔７ａとカバー体８に形成された貫通孔８ａとを介して前板６の背面の右端部に左右方向を向く枢軸によって揺動可能に枢着されている。つまり、前板６とスライド板１０とはステー１２を介して接続されており、スライド板１０は前板６の前後方向への揺動に応じて前後方向に中空部９内を移動する。
【００１９】
尚、スライド板１０は摺接片１０ｂが溝部１１の前端部に当接することでそれ以上の正面側への移動が規制され、スライド板にステー１２を介して接続されている前板６も正面側への揺動が規制されている。
【００２０】
図３〜図５に示すように、中空部９内のスライド板１０下方には、ラック部１０ａと噛み合うピニオン（歯車）１３が左右方向に向く枢軸によって回動自在に枢支されており、更にピニオン１３の下方には、上面にピニオン１３に噛み合うラック部１４ａが形成された前後方向を向く直方体形状のスライド板１４が中空部９内を前後方向に移動自在に配置されている。尚、スライド板１４とラック部１４ａとによって本発明における第２のラックが構成されている。
【００２１】
具体的には、図４及び図５に示すように、側板７の外側面には、中空部９に貫通する貫通長孔１５が側板７の前後方向を向いて形成されており、この貫通長孔１５内にはスライド板１４の右側部が挿入配置されている。また、貫通長孔１５の上下には、貫通長孔１５の前後方向略全長に亘って係止溝部１５ａが形成されており、スライド板１４の右側部の上下には、これら係止溝部１５ａ内に挿入配置される係止片１４ｂが突設されている。このため、スライド板１４は貫通長孔１５内で左右方向に脱落することなく前後方向に摺動するようになっている。
【００２２】
尚、図３及び図４に示すように、キャビネット２側の側板２ａの内側面には、平面視Ｌ字形状の阻止部材１６が取り付けられており、スライド板１４の右端部には、引出１がキャビネット２内の収納位置に配置されているときに阻止部材１６に当接する当接部１４ｃが形成されている。
【００２３】
そして、前述したように構成された引出１がキャビネット２内の収納位置に収納配置されている状態にて使用者が取手５を把持することで前板６を正面側に揺動させると、前板６の正面側への揺動に応じてスライド板１０の正面側への移動がなされる。
【００２４】
このとき、スライド板１０のラック部１０ａがピニオン１３を図４及び図６における側面視反時計回りに回動させることによって、ピニオン１３に下方からラック部１４ａが噛み合っているスライド板１４には、ピニオン１３の回動による背面側への力がはたらく。
【００２５】
しかしながら、スライド板１４の背面側への移動は、当接部１４ｃが阻止部材１６に当接していることで阻止され、当接部１４ｃには、当接部１４ｃが阻止部材１６を背面側に向けて押圧することによる正面側を向く反力がはたらく。このため、図６に示すように、引出１はこの反力によってキャビネット２内から押圧されることでキャビネット２内の収納位置から正面側に向けて引き出され、スライド板１４は当接部１４ｃが阻止部材１６を押圧する位置を維持した状態で貫通長孔１５内を相対移動する。つまり、これらスライド板１０，１４とピニオン１３とは、本発明における連動手段を構成している。
【００２６】
そして、スライド板１０が溝部１１の前端部に当接することによって前板６の正面側への揺動が終了し、引出１はキャビネット２内から正面側に距離Ｌ１だけ引き出され、使用者の収納篭６ａと収納箱４からの収納物３，３ａの取り出し易さの向上が図られている。
【００２７】
尚、前板６の正面側へ揺動が終了した後は、図６に示す引出１がキャビネット２内から正面側に距離Ｌ１引き出された状態から更に使用者が取手５を把持して引出１を引き出すことによって、前板６の揺動を維持したまま引出１を全開量引き出すことができる。
【００２８】
更に尚、本実施例では、引出１の右側の側板７と前板６の右側部とで説明をおこなったが、引出１の左側の側板７と前板６の左側部にも前述のような構成を設けてもよいのは勿論である。
【００２９】
以上、本実施例における引出にあっては、前板６の背面に収納篭６ａを備え、正面側に向けて開口するキャビネット２内に前後方向に移動自在に収納される引出１において、前板６が所定開度開放可能に下端部が引出に揺動自在に枢支されている引出１であって、引出１は、前板６が閉鎖された位置から所定開度の位置まで揺動することに応じて、引出１を一定量前方に引き出す連動手段を備えているので、前板６が所定開度開放されたとき、引出１も一部分前方に引き出されるので、前板６の背面に設けた収納篭６ａから収納物３ａを取り出し易いばかりでなく、引出１の前方部分に収納されている収納物３も同時に取り出すことかでき、一度前板６を揺動させてから引出１を引き出す２段アクションを必要とせず使い勝手がよい。また、前板６の収納篭６ａと引出１の前方部に使用頻度の高い収納物３，３ａを収納しておけば、通常使用時には引出１を部分開放するだけですみ、使用者にとって利便性がよい。
【００３０】
また、前板６が所定開度の位置まで揺動した後、前板６を所定開度維持した状態で引出１が全量引き出し可能であるので、引出１の後方部分に収納されている収納物３を取り出す際にも、前板６が所定開度開放された位置からそのまま引出１を引き出すことで、容易に取り出すことができる。
【００３１】
また、連動手段は、前板６の揺動に応じて前後動するラック部１０ａと、ラック部１０ａと噛み合うピニオン１３と、後方への移動が阻止されたピニオン１３と噛み合うラック１４ａと、で構成されているので、前板６の揺動と引出の一部分前方への引き出しとの機構を、ラック部１０ａ，１４ａとピニオン１３という簡素な構成によって得ることができる。
【００３２】
また、ラック部１４ａの後方への移動はキャビネット２に設けた阻止部材１６との係合により阻止されているので、ラック部１４ａと阻止部材１６との係合によってラック部１４ａが阻止部材１６から前方への反力を受け、この反力によって引出１を前方に引き出すことができる。
【００３３】
また、ラック部１０ａ，１４ａは引出１の側板７に設けた溝部１１とスライド溝部１１との内で摺動可能に支持され、ピニオン１３は引出１の側板７に回動自在に支持されているので、連動手段を構成する部材全てを側板７内にコンパクトに組み込むことができる。
【実施例２】
【００３４】
次に、実施例２に係る引出につき、図７を参照して説明する。尚、前記実施例と同一構成で重複する構成を省略する。
【００３５】
実施例１における引出１では、連動手段をスライド板１０，１４とピニオン１３とで構成したが、例えば、図７（ａ）及び図７（ｂ）に示すように、連動手段を一端が前板６の背面の右端部に左右方向を向く枢軸によって揺動可能に枢着される第１アーム１２０と、一端が第１アーム１２０の他端に左右方向を向く枢軸によって揺動可能に枢着され、中間部が左右方向を向く枢軸１３１によって側板７に前後方向に回動自在に枢着される第２アーム１３０と、第２アーム１３０の他端から引出１の外側方に向けて突設された当接ピン１３２と、で構成し、貫通長孔１５を前板６の開放の際に円弧軌道を描く当接ピン１３２に当接しないよう、十分な上下幅寸法に形成してもよい。
【００３６】
この場合には、使用者が取手５を把持することで前板６を正面側に揺動させると、第１アーム１２０の他端が第２アーム１３０の一端を枢軸１３１を回転中心として正面側に揺動させようとし、第２アーム１３０の他端は当接ピン１３２を阻止部材１６に当接しながら背面側に揺動しようとするため、引出１は当接ピン１３２が阻止部材１６から受ける正面側を向く反力によってキャビネット２の正面側に距離Ｌ１だけ引き出される。
【００３７】
尚、軸１３１を第２アーム１３０の中間部ではなく、適宜長手方向の所定位置に設けることで当接ピン１３２の描く円弧の軌跡の長さを調整し、前板６の揺動距離に対する引出１の引き出し距離Ｌ１と調整するようにしてもよい。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、引出１をキッチンキャビネット等のキャビネット２に設けられているものとして説明したが、本発明の引出１が設けられるキャビネットは、キッチンキャビネットに限らず、洗面台や食器棚等であってもよい。
【００４０】
また、前記実施例１では、スライド板１０の正面側への移動をピニオン１３を介してスライド板１４に伝達し、当接部１４ｃに阻止部材１６からの反力を得ることで引出１を距離Ｌ１キャビネット２内から引き出したが、例えば、ピニオン１３の外側方側をキャビネット２の側板２ａに向けて開口し、ピニオン１３の外側面にキャビネット２の側板２ａを向く突部を設け、ピニオン１３の反時計回りの回動によって突部が阻止部材１６を押圧し、この突部の阻止部材１６への押圧による反力によって引出１正面側に引き出すようにしてもよい。
【００４１】
また、前記実施例１では、１つのピニオン１３の上下にラック１０ａ，１４ａを噛み合わせたが、例えば、ラック１０ａ，１４ａの間に互いに噛み合い且つ直径の異なる複数のピニオンを組合せて設け、前板６の揺動角度と引出１が正面側に引き出される量が最適となるように調整してもよい。
【００４２】
また、前記実施例では、使用者が取手５を把持することで前板６を正面側に揺動させ、阻止部材１６に当接する当接部１４ｃから反力を得ることで引出１をキャビネット２から正面側に距離Ｌ１だけ引き出したが、側板７内のスライド板１０後方に前板６を閉塞する際にスライド板１０が後端部で押圧することでロックがなされ、前板６を開放するときにスライド板１０の後端部で押圧することでバネ等の付勢力によりスライド板１０を正面側に押し出すプッシュオープン機構を備えるようにしてもよい。この場合には、使用者が膝等で前板６を押圧することによりスライド板１０の後端部がプッシュオープン機構を押圧するので、バネ等の付勢力に伴うスライド板１０の正面側への移動によって前板６の開放と引出１の正面側への引き出しとがなされ、引出１の使い勝手が向上する。
【符号の説明】
【００４３】
１                引出
２                キャビネット
３，３ａ          収納物
６                前板
６ａ              収納篭（収納部）
７                側板
１０              スライド板（第１のラック，連動手段）
１０ａ            ラック部（第１のラック）
１０ｂ            摺接片
１１              溝部
１３              ピニオン（連動手段）
１４              スライド板（第２のラック，連動手段）
１４ａ            ラック部（第２のラック）
１４ｂ            係止片
１４ｃ            当接部
１５              貫通長孔
１５ａ            係止溝部
１６              阻止部材
１２０            第１アーム（連動手段）
１３０            第２アーム（連動手段）
１３１            枢軸
１３２            当接ピン（連動手段）
【図１】
2010233847.tif 000003
【図２】
2010233847.tif 000004
【図３】
2010233847.tif 000005
【図４】
2010233847.tif 000006
【図５】
2010233847.tif 000007
【図６】
2010233847.tif 000008
【図７】
2010233847.tif 000009